(57)【要約】【課題】機械的な強度が高く、衛生的であり、使用者の体に当接して良好な作用効果を及ぼす浴槽用椅子を提供する。【解決手段】この浴槽用椅子１は、黒鉛から成型された炭素パネル１１と、炭素パネル１１が嵌め込まれる陥没部１０ａを上面に有する浴槽用椅子本体１０と、を備える。炭素パネル１１は、機械的な強度が高く、衛生的であり、体に当接して放射する遠赤外線により良好な作用効果を及ぼす。また、炭素パネル１１は銀成分を含有する樹脂でコーティングされている。【選択図】図１
2008104708.tif 000002
【特許請求の範囲】
【請求項１】
黒鉛から成型された炭素パネルと、
該炭素パネルが嵌め込まれる陥没部を上面に有する浴槽用椅子本体と、を備えることを特徴とする浴槽用椅子。
【請求項２】
請求項１に記載された浴槽用椅子において、前記炭素パネルは銀成分を含有することを特徴とする浴槽用椅子。
【発明の詳細な説明】
【技術分野】
【０００１】
本発明は、浴槽内で使用する浴槽用椅子に関する。
【背景技術】
【０００２】
近年、ストレスの解消や疲労回復の目的で、湯に半身を浸してゆっくりと入浴する半身浴が広く行われている。この半身浴のためには、体を支える浴槽用椅子が必要である。浴槽用椅子は、ただ体を支えるだけではなく更に機能を加えたものも種々提案されている。例えば、特許文献１で提案されている浴槽用椅子は、椅子形状に加工した木材を焼成木炭化したものであり、木炭の無数の穴に湯が侵入することにより臀部が温まり、また、木炭が放出するマイナスイオンにより健康が促進されるとしている。特許文献２で提案されている浴槽用椅子は、座部の裏側に収納した活性石、セラミック、木竹炭などが放出する遠赤外線、ミネラル、マイナスイオンにより疲労回復効果が得られるとしている。特許文献３で提案されている浴槽用椅子は、浴槽用椅子の中空部に収納したセラミック加工品が放出するマイナスイオンなどが温泉効果等をもたらすとしている。
【０００３】
【特許文献１】特開２０００−  ６０７５７号公報
【特許文献２】特開２００４−１１３７３３号公報
【特許文献３】特開２００６−  ３４５１１号公報
【発明の開示】
【発明が解決しようとする課題】
【０００４】
しかし、特許文献１の浴槽用椅子の木炭は無数の穴を有している、すなわち多孔質であるので、機械的な強度が低い。木炭の無数の穴は湯を浄化できる反面、そこに付着した物質は頻繁に取り除きかつ日干し等を行わなければ、却って不衛生になり易い。また、木炭により、張った湯がアルカリ性になり易い。特許文献２及び３の浴槽用椅子は、体から離れたところに遠赤外線やマイナスイオンなどを放出するものを収納しているので、体に対して良好な作用効果が大きくなり難い。
【０００５】
本発明は係る事由に鑑みてなされたものであり、その目的は機械的な強度が高く、衛生的であり、使用者の体に当接して良好な作用効果を及ぼす浴槽用椅子を提供することにある。
【課題を解決するための手段】
【０００６】
上記目的を達成するために、請求項１に記載の浴槽用椅子は、黒鉛から成型された炭素パネルと、該炭素パネルが嵌め込まれる陥没部を上面に有する浴槽用椅子本体と、を備えることを特徴とする。
【０００７】
請求項２に記載の浴槽用椅子は、請求項１に記載された浴槽用椅子において、前記炭素パネルは銀成分を含有することを特徴とする。
【発明の効果】
【０００８】
本発明の浴槽用椅子によれば、黒鉛の炭素パネルを用いているので、機械的な強度が高く、衛生的であり、使用者の体に当接し、放射する遠赤外線により良好な作用効果を及ぼすことができる。
【発明を実施するための最良の形態】
【０００９】
以下、本発明を実施するための最良の形態を図面を参照しながら説明する。図１は、本発明の実施形態に係る浴槽用椅子１を示すものであり、（ａ）は平面（上面）図、（ｂ）は正面図、（ｃ）は右側面図である。正面図の点線は、隠れた部分の陥没部或いは孔を示している。また、図２は右上前方から見た斜視図である。浴槽用椅子１は、左右略対称の浴槽用椅子本体１０と、浴槽用椅子本体１０の上面に嵌め込まれて用いられる炭素パネル１１と、浴槽用椅子本体１０の下面に取り付けられる複数の滑り止め１２、１２、・・・と、を有する。
【００１０】
浴槽用椅子本体１０は、本実施形態では図に示すように、平面視が略長方形状であり、正面視が略台形の環状である。正面視の中央部分は前後に導通する空洞である。横幅、高さ、奥行き（縦幅）はそれぞれ、３５〜４０ｃｍ程度、１５ｃｍ程度、２０ｃｍ程度である。上面の左右の端部は、緩やかに多少盛り上がり、中央部には炭素パネル１１を嵌め込むための陥没部１０ａが設けられ、更に陥没部１０ａの一部には中央部の前記空洞に到達する貫通孔１０ｂが設けられている。貫通孔１０ｂは、炭素パネル１１と陥没部１０ａの隙間から侵入した水分を抜いたり、炭素パネル１１を取り外す際に指等を入れて力を加えたりするためのものである。また、左右の側面には、持ち運びし易いように把手孔１０ｃ、１０ｃが設けられている。なお、浴槽用椅子本体１０の素材として、プラスチック、陶器、石材などが可能である。
【００１１】
炭素パネル１１の横幅、縦幅、厚さはそれぞれ、２５ｃｍ程度、１５ｃｍ程度、１ｃｍ程度である。その上面の四方にはテーパ１１ａが設けられている。炭素パネル１１は、主に黒鉛から成っている。黒鉛として、人造黒鉛などの既存のものや木炭、竹炭などの炭化物を黒鉛化したものが可能である。また、その表面は、高温（例えば１００℃程度）まで溶解しない耐熱性の水性樹脂でコーティングされる。炭素パネル１１は銀成分を含有することが望ましく、例えば樹脂に銀成分を添加してコーティングする。浴槽などではレジオネラ菌等が繁殖し易いが、銀成分により殺菌や抗菌が可能になる。
【００１２】
炭素パネル１１は、例えば以下のようにして製造する。先ず、黒鉛の紛状体を最終的な大きさに略等しい塊を形成するような型に入れ、この型に２万〜５万トン／ｃｍ２の圧力を加える。次に、無酸素状態で２０００〜３０００℃程度の温度環境に１週間程度放置し、その後１週間程度冷ます。次に、その黒鉛の塊を、上記の炭素パネル１１の形状に加工し、表面を研磨する。このようにして成型された炭素パネル１１は、非常に強固でしかも軽量であり、その表面は細かな割れ目が極めて少ない。
【００１３】
複数の滑り止め１２、１２、・・・のそれぞれは、前後の方向に直線状に延びている。滑り止め１２の素材として、ゴムなどが可能である。
【００１４】
次に、浴槽用椅子１の作用について説明する。湯を張った浴槽の底に浴槽用椅子１を据え、炭素パネル１１の上に臀部をのせる。黒鉛の炭素パネル１１は、使用者の体重や衝撃に対して十分な機械的強度を有する。また、黒鉛の炭素パネル１１は、体に当接し或いは非常に近く位置するので以下に述べる良好な作用効果が大きい。
【００１５】
黒鉛の炭素パネル１１は、木炭や竹炭などの場合と同様に、遠赤外線を放射する。特に、湯により温められているので、遠赤外線の量は多い。炭素パネル１１から放射された遠赤外線は、臀部から体内に直接働きかけ、使用者の体を内から温める。更に、遠赤外線は、血液循環を促進し、リラックス効果を奏する。また、遠赤外線により水のクラスタが小さくなり、皮膚の表面の凹凸や体毛が多い部分でも湯が体に触れ易くなる。その結果、より体が温まり、皮膚の付着物が取り除かれ易くなる。また、水のクラスタが小さくなると、所謂、水がまろやかという感覚になり、それによってもリラックス効果を奏する。
【００１６】
また、木炭や竹炭などの炭化物そのものは水をアルカリ性にし易く、使用者が湯に長時間浸かっていると肌荒れ等を引き起こすおそれもあるが、黒鉛は木炭や竹炭などに比べ、中性に保つことができる。中性の湯のｐＨを変えたい場合は、市販の入浴剤で容易に変えることもできる。
【００１７】
また、黒鉛は熱伝導率が高いため、湯の温度に即座に追従する。従って、炭素パネル１１に直接触れる臀部も他の部分と差が無く温めることができる。
【００１８】
炭素パネル１１は、取り付け、取り外し自在であり、多孔質でないので、洗浄により容易に湯垢やその他の付着物を取り除くことが可能である。従って、衛生的である。
【００１９】
以上、本発明の実施形態に係る浴槽用椅子について説明したが、本発明は、実施形態に記載したものに限られることなく、特許請求の範囲に記載した事項の範囲内での設計変更が可能である。例えば、実施形態に記載されていない他の部材を備えることができ、また、形状や寸法を適宜変えることができるのは勿論である。
【図面の簡単な説明】
【００２０】
【図１】本発明の実施形態に係る浴槽用椅子を示すものであり、（ａ）は平面図、（ｂ）は正面図、（ｃ）は右側面図である。
【図２】同上の浴槽用椅子の斜視図である。
【符号の説明】
【００２１】
１    浴槽用椅子
１０    浴槽用椅子本体
１０ａ  浴槽用椅子本体の陥没部
１１    炭素パネル
１２    滑り止め
【図１】
2008104708.tif 000003
【図２】
2008104708.tif 000004